(57)【特許請求の範囲】
【請求項１】
撮影装置の外面に形成した三脚取付用孔に対して着脱可能なアクセサリーにおいて、
支持部材と、
上記三脚取付用孔の軸線と平行に延びかつ自身の外径が上記三脚取付用孔の内径より小径であり、上記支持部材に対する上記三脚取付用孔の奥側への突出量が大きい突出量大位置と小さい突出量小位置との間を相対移動可能に上記支持部材に支持された挿入部材と、
上記挿入部材の上記支持部材に対する突出量が減少するのに伴って拡径し、該突出量が所定量となったときに自身の外径が上記三脚取付用孔の内径以上となる弾性部材と、
上記挿入部材の上記支持部材に対する相対移動を許容する移動許容位置と、上記弾性部材の外径が上記三脚取付用孔の内径以上となったときに上記挿入部材が上記突出量が大きくなる方向に移動するのを規制する移動規制位置と、の間を移動可能な移動規制手段と、を備え、
上記挿入部材は、上記弾性部材に対して上記三脚取付用孔の奥側から当接することにより、該挿入部材が上記突出量小位置側に相対移動するときに上記弾性部材を該挿入部材と一緒に移動させる当接部を有すること、及び
上記弾性部材は、上記突出量大位置に位置するときは外径が上記三脚取付用孔の内径より小さく、上記突出量小位置に位置するときは上記挿入部材と一緒に移動して上記支持部材と接触することにより外径が上記内径以上となること、
を特徴とする撮影装置用アクセサリー。
【請求項２】
請求項１記載の撮影装置用アクセサリーにおいて、
上記弾性部材が、上記挿入部材の軸線を中心としかつ自由状態における外径が上記三脚取付用孔より小径の筒状体である撮影装置用アクセサリー。
【請求項３】
請求項１または２記載の撮影装置用アクセサリーにおいて、
上記移動規制手段を上記移動規制位置に向けて移動付勢する第一付勢手段を備える撮影装置用アクセサリー。
【請求項４】
請求項１から３のいずれか１項記載の撮影装置用アクセサリーにおいて、
上記移動規制手段を上記移動規制位置から上記移動許容位置に向けて移動させることが可能な移動操作手段を備える撮影装置用アクセサリー。
【請求項５】
請求項１から４のいずれか１項記載の撮影装置用アクセサリーにおいて、
上記挿入部材を上記支持部材からの突出量を増大させる方向に向けて付勢する第二付勢手段を備える撮影装置用アクセサリー。
【発明の詳細な説明】
【技術分野】
【０００１】
本発明は、一眼レフカメラ等の撮影装置に対して着脱可能なアクセサリーに関する。
【背景技術】
【０００２】
一般的にカメラ（例えば一眼レフカメラ）の底面には三脚取付用ネジ孔が形成してある。
この三脚取付用ネジ孔に対しては、三脚（特許文献１）やバッテリグリップ（特許文献２）などのアクセサリーを着脱可能である。
【０００３】
特許文献１では、三脚の上端部に突設した雄ネジをカメラの三脚取付用ネジ孔に対して螺合することにより、三脚とカメラを互いに固定している。三脚の雄ネジとカメラの三脚取付用ネジ孔の螺合を解除すれば、カメラと三脚を互いに分離可能となる。
特許文献２のバッテリグリップは、ロックレバーの操作に応じてロック位置とアンロック位置に移動可能な連結爪を有している。バッテリグリップの連結爪をアンロック位置に位置させながらカメラの開口部に挿入し、この状態でロックレバーの操作により連結爪をロック位置に移動させると、連結爪が開口部の周縁部に係合するので、カメラの底部に対してバッテリグリップを固定できる。一方、ロックレバーの操作により連結爪をアンロック位置に移動させれば、バッテリグリップをカメラの底部から分離可能となる。
【先行技術文献】
【特許文献】
【０００４】
【特許文献１】特開２００３−３３７３６８号公報
【特許文献２】特開２００２−２７７９５１号公報
【発明の概要】
【発明が解決しようとする課題】
【０００５】
特許文献１では、カメラと三脚を固定するためには三脚の雄ネジをカメラの三脚取付用ネジ孔に対して螺合する必要があるため、カメラと三脚の固定作業が面倒である。
【０００６】
特許文献２では、カメラとバッテリグリップを固定するためには、連結爪をアンロック位置に位置させながらカメラの開口部に挿入し、さらにロックレバーの操作により連結爪をロック位置に移動させる必要がある。そのためカメラとバッテリグリップの固定作業が面倒である。
さらに、カメラの底面には三脚取付用ネジ孔が設けてあるものの、この三脚取付用ネジ孔を利用せずにバッテリグリップをカメラの底部に対して着脱するため、カメラの底部に三脚取付用ネジ孔とは別に上記開口を設ける必要がある。そのためカメラの製造コストが高くなってしまう。
【０００７】
本発明は、カメラ等の撮影装置に形成した三脚取付用孔に対して簡単に装着できる撮影装置用アクセサリーを提供することを目的とする。
【課題を解決するための手段】
【０００８】
本発明の撮影装置用アクセサリーは、撮影装置の外面に形成した三脚取付用孔に対して着脱可能なアクセサリーにおいて、支持部材と、上記三脚取付用孔の軸線と平行に延びかつ自身の外径が上記三脚取付用孔の内径より小径であり、上記支持部材に対する上記三脚取付用孔の奥側への突出量が大きい突出量大位置と小さい突出量小位置との間を相対移動可能に上記支持部材に支持された挿入部材と、上記挿入部材の上記支持部材に対する突出量が減少するのに伴って拡径し、該突出量が所定量となったときに自身の外径が上記三脚取付用孔の内径以上となる弾性部材と、上記挿入部材の上記支持部材に対する相対移動を許容する移動許容位置と、上記弾性部材の外径が上記三脚取付用孔の内径以上となったときに上記挿入部材が上記突出量が大きくなる方向に移動するのを規制する移動規制位置と、の間を移動可能な移動規制手段と、を備え、上記挿入部材は、上記弾性部材に対して上記三脚取付用孔の奥側から当接することにより、該挿入部材が上記突出量小位置側に相対移動するときに上記弾性部材を該挿入部材と一緒に移動させる当接部を有すること、及び上記弾性部材は、上記突出量大位置に位置するときは外径が上記三脚取付用孔の内径より小さく、上記突出量小位置に位置するときは上記挿入部材と一緒に移動して上記支持部材と接触することにより外径が上記内径以上となること、を特徴としている。
【００１０】
上記弾性部材が、上記挿入部材の軸線を中心としかつ自由状態における外径が上記三脚取付用孔より小径の筒状体であってもよい。
【００１１】
上記移動規制手段を上記移動規制位置に向けて移動付勢する第一付勢手段を備えてもよい。
【００１２】
上記移動規制手段を上記移動規制位置から上記移動許容位置に向けて移動させることが可能な移動操作手段を備えてもよい。
【００１３】
上記挿入部材を上記支持部材からの突出量を増大させる方向に向けて付勢する第二付勢手段を備えてもよい。
【発明の効果】
【００１４】
本発明の撮影装置用アクセサリーは、カメラ等の撮影装置に形成した三脚取付用孔に対して簡単に装着できる。
【図面の簡単な説明】
【００１５】
【図１】本発明の一実施形態の一眼レフカメラとバッテリグリップの分離状態の斜視図である。
【図２】一眼レフカメラとバッテリグリップの接続状態の斜視図である。
【図３】一眼レフカメラとバッテリグリップが分離状態にあるときのカメラの下端部とバッテリグリップの一部の拡大縦断正面図である。
【図４】バッテリグリップの挿入部材及び弾性部材を一眼レフカメラの三脚取付用ネジ孔に挿入したときの図３と同様の拡大縦断正面図である。
【図５】弾性部材が拡径して三脚取付用ネジ孔の内面に密着したときの図３と同様の拡大縦断正面図である。
【図６】ロック解除スイッチをロック解除位置へ移動させたときの図３と同様の拡大縦断正面図である。
【発明を実施するための形態】
【００１６】
以下、本発明の一実施形態について添付図面を参照しながら説明する。以下の説明の前後、左右、上下の各方向は図中の矢線方向を基準としている。
まずカメラ１０の基本構造について説明する。
一眼レフタイプのカメラ１０（撮影装置）は、互いに着脱可能なカメラボディ１１と交換レンズ１５を備えている。カメラボディ１１の左側部は、その前部がその右側に位置する部分よりも前方へ膨出したボディ側グリップ１２により構成してあり、ボディ側グリップ１２の内部にはバッテリ（図示略）が着脱可能に収納してある（図１、図２参照）。さらにカメラボディ１１の下面の左右方向の略中央部には図３−図６に示す三脚取付部材１３が固定状態で設けてある。三脚取付部材１３は真鍮などの金属（又は硬質プラスチックなど）により構成した部材であり、その下面には三脚取付用ネジ孔１３Ａ（三脚取付用孔）が形成してある。三脚取付用ネジ孔１３Ａは、上下方向に延びる軸線１３Ｂを中心とする螺旋状の雌ネジ溝１４を備えている。三脚取付用ネジ孔１３Ａ（雌ネジ溝１４）の仕様（基準寸法）はＪＩＳ（ＪＩＳ  Ｂ  ７１０３）で規定されている。即ち、三脚取付用ネジ孔１３Ａ（雌ネジ溝１４）の内径は４．９７５ｍｍ、有効径は５．５２５ｍｍ、谷の径は６．３５０ｍｍである。さらにカメラボディ１１の下面の左右両端部近傍にはそれぞれ位置決め用凹部（図示略）が凹設してある。さらにカメラボディ１１の下面の略中央部には端子群（図示略）が設けてある。この端子群はカメラボディ１１の内部に設けた制御回路（図示略）に接続している。
【００１７】
カメラボディ１１の底面に対しては図示したバッテリグリップ２０（アクセサリー）を着脱可能である。
バッテリグリップ２０の外形を構成する硬質材料（例えば硬質樹脂）からなる外装ケース２１は、その平面形状（水平方向に切断したときの断面形状）がカメラボディ１１と略同一である。即ち、外装ケース２１の左側部はボディ側グリップ１２と略同一の平面形状（断面形状）の補助グリップ２２となっている。さらに外装ケース２１の内部にはバッテリ（図示略）が着脱可能に収納してある。外装ケース２１の上面は略水平板状の上面板２３Ａにより構成してあり、外装ケース２１の下面は上面板２３Ａと平行をなす下面板２３Ｂにより構成してある。上面板２３Ａの左右方向の略中央部には多数の端子ピン２４が上向きに突設してある。これらの端子ピン２４は外装ケース２１の内部に設けた上記バッテリで発生した電力をカメラボディ１１側へ供給するためのものである。また上面板２３Ａの左右両端部近傍には位置決め用ピン２５がそれぞれ上向きに突設してある。
【００１８】
上面板２３Ａの略中央部には断面円形の貫通孔２７が穿設してある。
この貫通孔２７には、自身の軸線が上下方向に延びる挿入部材２９が上下方向に相対移動可能として支持（挿入）してある。挿入部材２９は硬質樹脂などの硬質材料（殆ど弾性変形しない材料）により構成したものであり、その軸線（軸線１３Ｂと平行方向）が上下方向に延びる断面円形の本体部３０と、本体部３０の上端部に設けた本体部３０より大径である環状の鍔部３１（当接部）と、本体部３０の下端部に突設した抜止部３２と、を一体的に備えている。本体部３０の外径は貫通孔２７と略同一であるが、本体部３０の上端部（鍔部３１を設けた部位）と下端部（抜止部３２を設けた部位）の外径は貫通孔２７より大きい。そのため挿入部材２９が貫通孔２７に対して上方又は下方に抜け出すおそれはない。鍔部３１（及び本体部３０）の外径は三脚取付用ネジ孔１３Ａ（雌ネジ溝１４）の内径（最小許容寸法  ４．９７５ｍｍ）より小さい。本体部３０は、抜止部３２が上面板２３Ａの下面に当接しかつ上面板２３Ａに対する上方への突出量が最大となる突出量大位置（図３の位置）と、該突出量が最小（請求項１の「所定量」）となる突出量小位置（図５の位置）との間を上面板２３Ａに対して上下方向に相対移動可能である。抜止部３２には水平方向（及び上下方向）に対して傾斜する傾斜面３２ａが形成してある。さらに図３−図６に示すように、挿入部材２９の下面に突設したバネ係止突起３０ａと、下面板２３Ｂの上面に突設したバネ係止突起３０ａと同軸をなすバネ係止突起２３Ｂ１との間には圧縮コイルばねＳ１が自由状態から圧縮した状態で設けてある。そのため挿入部材２９は圧縮コイルばねＳ１によって常に突出量大位置側に移動付勢されている。
【００１９】
本体部３０の上面板２３Ａより上方に位置する部分の外周面には、本体部３０の（軸線１３Ｂと平行な）軸線を中心としかつゴム等の弾性材料によって構成した筒状体からなる弾性部材３５が装着してある。弾性部材３５は、その内周面が本体部３０の外周面に対して接触している。さらにその上端面と下端面が常に鍔部３１の下面と上面板２３Ａの上面に対してそれぞれ接触している。挿入部材２９が突出量大位置に位置するとき、弾性部材３５は自由状態となりその外径は鍔部３１の外径と略同一かつ三脚取付用ネジ孔１３Ａ（雌ネジ溝１４）の内径（４．９７５ｍｍ）より小さくなる。その一方で、挿入部材２９が突出量大位置から突出量小位置側に移動すると、挿入部材２９の鍔部３１の下面と上面板２３Ａの上面の間の上下間隔が徐々に短くなるので、鍔部３１と上面板２３Ａによって弾性部材３５が上下方向に圧縮される（弾性部材３５の上下寸法が短くなる）。その結果、弾性部材３５の外径は挿入部材２９が突出量大位置に位置するときよりも大きくなる。そして、挿入部材２９を突出量小位置まで移動させると（弾性部材３５が上下方向に最短状態になると）弾性部材３５の外径が最大となり、弾性部材３５の外周側に障害物が存在しないのであれば弾性部材３５の外径は三脚取付用ネジ孔１３Ａ（雌ネジ溝１４）の内径（最大許容寸法  ５．２６７ｍｍ）より大きくなる（又は三脚取付用ネジ孔１３Ａの内径（最大許容寸法）と同じ大きさになる）。
【００２０】
上面板２３Ａの下面には、挿入部材２９の左右両側に位置する一対の支持突片２３Ａ１が下向きに突設してある。そして左右の支持突片２３Ａ１の下端面には、左右方向に延びる平板からなる移動規制手段４０が左右方向にスライド自在に支持してある。移動規制手段４０には嵌合用孔４１と挿入部材制御孔４２が左右位置をずらして穿設してある。
さらに上面板２３Ａの下面に突設したバネ係止突起２３Ａ２と移動規制手段４０の右端部に突設したバネ係止突起４０ａとの間には、自由状態から伸張した引張バネＳ２（第一付勢手段）の両端部が係止してある。即ち、引張バネＳ２は移動規制手段４０を常に右側に移動付勢している。そのため、挿入部材２９が突出量大位置に位置するとき、挿入部材制御孔４２内に挿入部材２９の下端部が挿入して挿入部材制御孔４２の左側縁部に傾斜面３２ａが係合することにより、移動規制手段４０は図３に示す初期位置に位置する。また図４に示すように挿入部材２９が突出量大位置から突出量小位置側に移動すると、挿入部材制御孔４２の左側縁部が傾斜面３２ａによって左側に押圧されるため、移動規制手段４０は引張バネＳ２の付勢力に抗して図３の初期位置より左側に移動する（図４参照）。そして挿入部材２９が突出量大位置から突出量小位置側に移動するのに伴って、挿入部材制御孔４２の左側縁部が抜止部３２の左端面と同じ位置となる係合解除位置（図６の位置。移動許容位置）まで移動規制手段４０が左側に押圧されると、図５に示すように抜止部３２が挿入部材制御孔４２（移動規制手段４０）の下方まで移動可能となる。抜止部３２が挿入部材制御孔４２（移動規制手段４０）の下方まで移動すると、移動規制手段４０が引張バネＳ２の付勢力によって上記初期位置（移動規制位置）に移動復帰しかつ圧縮コイルバネＳ１（第二付勢手段）が挿入部材２９を上方に付勢するので、抜止部３２の上面が移動規制手段４０の下面に当接する。その結果、挿入部材２９の上下位置が図５の突出量小位置に位置決めされる。
【００２１】
図３−図６に示すように、下面板２３Ｂの中央部近傍には底部貫通孔２３Ｂ２が穿設してあり、下面板２３Ｂの上面には底部貫通孔２３Ｂ２の周縁部から上方に延びるスイッチ収納筒２３Ｂ３が一体的に突設してある。
そして底部貫通孔２３Ｂ２及びスイッチ収納筒２３Ｂ３の内部空間にはロック解除スイッチ４５（移動操作手段）が左右方向にスライド自在に配設してある。ロック解除スイッチ４５は、スイッチ収納筒２３Ｂ３（底部貫通孔２３Ｂ２）の内部に配設した操作部４６と、スイッチ収納筒２３Ｂ３の上面に左右方向にスライド可能として支持した被支持部４７と、被支持部４７から上方に突出して移動規制手段４０の嵌合用孔４１に対して嵌合する嵌合凸部４８と、を備えている。そのためロック解除スイッチ４５は移動規制手段４０と一緒に外装ケース２１に対して左右方向にスライド可能であり、移動規制手段４０が上記初期位置に位置するときロック解除スイッチ４５は図３に示す非操作位置に位置し、移動規制手段４０が上記係合解除位置に位置するときロック解除スイッチ４５は図６に示すロック解除位置に位置する。
【００２２】
続いてバッテリグリップ２０のカメラ１０（カメラボディ１１）に対する着脱要領について説明する。
まず図１に示すようにカメラ１０（カメラボディ１１）の下方にバッテリグリップ２０を位置させ、バッテリグリップ２０のロック解除スイッチ４５を上記非操作位置に位置させておく。そして図３に示すように、バッテリグリップ２０をこのままカメラ１０に対して上方へ相対移動させて、カメラボディ１１の下面の上記位置決め用凹部に対して二つの位置決め用ピン２５を嵌合しながら、突出量大位置に位置する挿入部材２９及び弾性部材３５を三脚取付用ネジ孔１３Ａに対して同軸状態で挿入する。
そして挿入部材２９（鍔部３１）の上端面が三脚取付用ネジ孔１３Ａの底面（上端面）に接触した後にバッテリグリップ２０をさらにカメラ１０に対して上方へ相対移動させると、外装ケース２１が挿入部材２９及び弾性部材３５に対して上方へ相対移動する。すると図４に示すように挿入部材２９が突出量大位置から突出量小位置側に移動するので、鍔部３１と上面板２３Ａによって上下方向に圧縮された弾性部材３５の外径が図３の状態より大きくなる。さらに移動規制手段４０が図３の初期位置から左側へスライドし、ロック解除スイッチ４５が非操作位置から左側へスライドする。
【００２３】
バッテリグリップ２０をさらにカメラ１０に対して上方へ相対移動させると、バッテリグリップ２０の上面がカメラボディ１１の下面に接触しかつカメラボディ１１の下面に設けた上記端子群に対して端子ピン２４が接触したときに挿入部材２９が突出量小位置側まで移動する。すると移動規制手段４０が図６に示す上記係合解除位置まで移動するので、挿入部材２９の下端部（抜止部３２）が挿入部材制御孔４２を下方に通り抜けて抜止部３２の上端面が移動規制手段４０より下方に位置する。すると引張バネＳ２の付勢力によって移動規制手段４０が初期位置へ復帰しロック解除スイッチ４５が非操作位置へ復帰するので、図５に示すように圧縮コイルバネＳ１によって突出量大位置側に付勢された挿入部材２９の抜止部３２の上面が移動規制手段４０の下面に当接し、挿入部材２９の上下位置が突出量小位置に位置決めされる。
すると弾性部材３５が上下方向に最短状態になりかつ外径が大きくなるので、弾性部材３５の外周部が三脚取付用ネジ孔１３Ａの内周面（雌ネジ溝１４の内面）に密着する。その結果、三脚取付用ネジ孔１３Ａ（雌ネジ溝１４）と弾性部材３５の間で大きな摩擦力（弾性部材３５の三脚取付用ネジ孔１３Ａからの抜けに対する抵抗力）が発生するので、バッテリグリップ２０のカメラボディ１１からの下方への（不意の）脱落が防止される。そしてカメラボディ１１の下面の上記端子群に対して端子ピン２４が接触するので、外装ケース２１の内部に設けた上記バッテリで発生した電力を端子ピン２４及びカメラボディ１１の上記端子群を介してカメラボディ１１の上記制御回路へ供給可能となる。
【００２４】
このように挿入部材２９及び弾性部材３５を三脚取付用ネジ孔１３Ａに挿入しながらバッテリグリップ２０をカメラ１０に対して上方へ相対移動させるだけのワンタッチ操作により、挿入部材２９及び弾性部材３５をカメラボディ１１の三脚取付用ネジ孔１３Ａに対して（バッテリグリップ２０をカメラボディ１１に対して）簡単に装着できる。
【００２５】
バッテリグリップ２０をカメラボディ１１から取り外したい場合は、ロック解除スイッチ４５を初期位置から図６に示すロック解除位置までスライドさせる。すると初期位置に位置していた移動規制手段４０が図６に示す上記係合解除位置までスライドし、バッテリグリップ２０をカメラボディ１１に対して下方へ相対移動させると挿入部材２９の下端部（抜止部３２）が挿入部材制御孔４２に再び進入（遊嵌）するので、挿入部材２９が突出量大位置側へ移動可能な状態となる。
この状態でバッテリグリップ２０をカメラボディ１１の下面から下方へ相対移動させると、突出量小位置に位置していた挿入部材２９が圧縮コイルバネＳ１の付勢力によって突出量大位置側へ移動し、弾性部材３５の外径が三脚取付用ネジ孔１３Ａ（雌ネジ溝１４）の内径より小さくなる。そのため、この状態からバッテリグリップ２０をカメラボディ１１に対して下方へさらに相対移動させれば弾性部材３５及び挿入部材２９が三脚取付用ネジ孔１３Ａから下方に円滑に脱出するので、バッテリグリップ２０をカメラボディ１１の下面から完全に取り外すことが可能になる。バッテリグリップ２０をカメラボディ１１の下面から取り外すと、挿入部材２９が圧縮コイルバネＳ１の付勢力によって突出量大位置まで移動し、さらに引張バネＳ２の付勢力によって移動規制手段４０とロック解除スイッチ４５が初期位置と非操作位置にそれぞれ移動復帰するので、バッテリグリップ２０は図３の状態に復帰する。
【００２６】
このようにロック解除スイッチ４５を非操作位置からロック解除位置へスライド操作するだけで、挿入部材２９及び弾性部材３５を三脚取付用ネジ孔１３Ａから簡単に取り外す（バッテリグリップ２０をカメラボディ１１から簡単に取り外す）ことが可能である。
【００２７】
以上、上記実施形態を利用して本発明を説明したが、本発明は本実施形態に限定されるものではなく、様々な変更を施しながら実施可能である。
例えば、バッテリグリップ２０以外のアクセサリー（例えば、三脚、ストロボ用ステーなど）に本発明を適用してもよい。
一眼レフタイプのカメラとは異なる撮影装置（例えば、コンパクトカメラ、撮影機能を有する携帯端末やスマートフォン、撮影機能を有するタブレットコンピュータなど）に本発明を適用してもよい。
弾性部材３５の上部（鍔部３１に近い部分）の内周面を本体部３０の外周面に接着してもよい。接着する場合は挿入部材２９から鍔部３１を省略してもよい。また弾性部材３５を筒状体とは異なる形状としてもよい。
移動規制手段４０を、外装ケース２１に対して左右方向にスライドするのではなく、別の動作をするものに変更してもよい。
また圧縮コイルバネＳ１や引張バネＳ２を上記とは別構造の付勢手段により構成したり、圧縮コイルバネＳ１や引張バネＳ２を省略してもよい。
三脚取付用ネジ孔１３Ａを、雌ネジ溝１４を具備しない孔（三脚取付用孔）に変更してもよい。
【符号の説明】
【００２８】
１０    カメラ（撮影装置）
１１    カメラボディ
１２    ボディ側グリップ
１３    三脚取付ネジ形成部材
１３Ａ    三脚取付用ネジ孔（三脚取付用孔）
１３Ｂ  軸線
１４    雌ネジ溝
１５    交換レンズ
２０    バッテリグリップ（アクセサリー）
２１    外装ケース
２２    補助グリップ
２３Ａ  上面板（支持部材）
２３Ａ１  支持突片
２３Ａ２  バネ係止突起
２３Ｂ  下面板
２３Ｂ１  バネ係止突起
２３Ｂ２  底部貫通孔
２３Ｂ３  スイッチ収納筒
２４    端子ピン
２５    位置決め用ピン
２７    貫通孔
２９    挿入部材
３０    本体部
３０ａ  バネ係止突起
３１    鍔部（当接部）
３２    抜止部
３２ａ  傾斜面
３５    弾性部材
４０    移動規制手段
４０ａ  バネ係止突起
４１    嵌合用孔
４２    挿入部材制御孔
４５    ロック解除スイッチ（移動操作手段）
４６    操作部
４７    被支持部
４８    嵌合凸部
Ｓ１    圧縮コイルバネ（第二付勢手段）
Ｓ２    引張バネ（第一付勢手段）
【図１】
0006492686.tif 000002
【図２】
0006492686.tif 000003
【図３】
0006492686.tif 000004
【図４】
0006492686.tif 000005
【図５】
0006492686.tif 000006
【図６】
0006492686.tif 000007